(57)【特許請求の範囲】
【請求項１】
筒状のフード部を有する一方のコネクタハウジングと、
筒状の筒部と、該筒部内に収容され且つ端子金具を収容する本体部と、を有する他方のコネクタハウジングと、を備え、
前記フード部が前記筒部内に挿入され、且つ、前記フード部内に前記本体部を位置付けて、前記一方のコネクタハウジングと前記他方のコネクタハウジングとが嵌合するコネクタにおいて、
前記筒部は、内周が前記フード部の外周よりも小さく形成されているとともに、該筒部の前記フード部と相対する側の一端部から前記フード部の挿入方向先端側の他端部に向かって延在した貫通孔を備えていることを特徴とするコネクタ。
【請求項２】
前記筒部が、該筒部の前記一端部の内周面に該一端部から前記他端部に向かうにしたがって徐々に当該筒部の内周方向に向かって傾斜した傾斜面を備えていることを特徴とする請求項１に記載のコネクタ。
【請求項３】
前記貫通孔には、該貫通孔の前記筒部の外周側の内面から突出する突部が設けられていることを特徴とする請求項１又は請求項２に記載のコネクタ。
【請求項４】
前記突部が、前記貫通孔の長手方向の全長に亘って延在していることを特徴とする請求項３に記載のコネクタ。
【発明の詳細な説明】
【技術分野】
【０００１】
本発明は、電線の接続等に使用されるコネクタに関し、特に耐振動構造を備えたコネクタに関する。
【背景技術】
【０００２】
移動体としての自動車には、多種多様な電子機器が搭載されており、この電子機器はワイヤハーネスを介して、自動車や他の電子機器と接続されている。そして、これらの電子機器とワイヤハーネスとは、それぞれが備えたコネクタ同士が嵌合することにより接続されている。
【０００３】
コネクタは、コネクタハウジングと、該コネクタハウジングに収容される端子金具と、を備えている。コネクタ同士が嵌合すると、それぞれのコネクタハウジング内の端子金具が電気的に接続する。
【０００４】
前述したコネクタとして、例えば、エンジンルーム等の過酷な振動条件下で用いられる、耐振動構造を備えたコネクタ（例えば、特許文献１参照。）が提案されている。このコネクタは、雄型のコネクタハウジング（以下、雄ハウジングと呼ぶ）と、該雄ハウジングと嵌合する雌型のコネクタハウジング（以下、雌ハウジングと呼ぶ）と、これら雄ハウジングと雌ハウジングとの間に介在するフロントホルダと、を備えている。
【０００５】
雄ハウジングは、雄型の端子金具を収容した端子収容部と、該端子収容部に連なる筒状の嵌合筒部とを備えている。雌ハウジングは、雌型の端子金具を収容した筒状の内筒部と、この内筒部の外側に該内筒部と間隔をあけて設けられた筒状の外筒部と、を備えている。端子金具は、導電性の板金からなり前記電線の芯線と電気的に接続する。
【０００６】
フロントホルダは、内筒部の外周に沿って筒状に形成されており、該内筒部の雄ハウジング寄りの外周面に取り付けられている。また、フロントホルダは、雄ハウジングと相対する側の端部に、ゴム等の弾性材料で構成された円環状の弾性体が当該フロントホルダの全周に亘って設けられている。
【０００７】
前述した構成のコネクタは、雌ハウジングの外筒部と内筒部との間に雄ハウジングの嵌合筒部が挿入されて、該嵌合筒部の内周面と内筒部の外周面との間にフロントホルダを位置付けることで、これらの雄ハウジングと雌ハウジングとが互いに嵌合する。そして、フロントホルダは、外周面が雄ハウジングの嵌合筒部により内筒部に向かって押圧されるとともに、弾性体が前記嵌合筒部により嵌合方向に押圧されることによって、これらの雄ハウジングと雌ハウジングとのガタつきを抑制する。
【特許文献１】特開平８−９６８７８号公報
【発明の開示】
【発明が解決しようとする課題】
【０００８】
しかしながら、前述した特許文献１に開示されたコネクタは、雄ハウジングと雌ハウジングとが互いに嵌合した際に、雄ハウジングの嵌合筒部の内側と雌ハウジングの本体部の外側との間にフロントホルダを位置付けて、これら雄ハウジングと雌ハウジングとのガタつきを抑制していた。このため、部品点数及び組み付け作業工数が増加するという問題があった。
【０００９】
したがって、本発明は、部品点数及び組み付け作業工数を増加させることなく、簡単な構造で一方及び他方のコネクタハウジング同士のガタつきを抑えて、端子金具の導通不良を防ぐことができるコネクタを提供することを目的とする。
【課題を解決するための手段】
【００１０】
前記課題を解決し目的を達成するために、請求項１に記載された発明は、筒状のフード部を有する一方のコネクタハウジングと、筒状の筒部と、該筒部内に収容され且つ端子金具を収容する本体部と、を有する他方のコネクタハウジングと、を備え、前記フード部が前記筒部内に挿入され、且つ、前記フード部内に前記本体部を位置付けて、前記一方のコネクタハウジングと前記他方のコネクタハウジングとが嵌合するコネクタにおいて、前記筒部は、内周が前記フード部の外周よりも小さく形成されているとともに、該筒部の前記フード部と相対する側の一端部から前記フード部の挿入方向先端側の他端部に向かって延在した貫通孔を備えていることを特徴とするコネクタである。
【００１１】
請求項２に記載された発明は、請求項１に記載の発明において、前記筒部が、該筒部の前記一端部の内周面に該一端部から前記他端部に向かうにしたがって徐々に当該筒部の内周方向に向かって傾斜した傾斜面を備えていることを特徴とするものである。
【００１２】
請求項３に記載された発明は、請求項１又は請求項２に記載の発明において、前記貫通孔には、該貫通孔の前記筒部の外周側の内面から突出する突部が設けられていることを特徴とするものである。
【００１３】
請求項４に記載された発明は、請求項３に記載の発明において、前記突部が、前記貫通孔の長手方向の全長に亘って延在していることを特徴とするものである。
【００１４】
請求項１に記載された発明によれば、他方のコネクタハウジングの筒部は、内周が一方のコネクタハウジングのフード部の外周よりも小さく形成されるとともに、当該筒部のフード部と相対する側の一端部から該フード部の挿入方向先端側の他端部に向かって延在した貫通孔を備えているので、一方のコネクタハウジングのフード部を他方のコネクタハウジングの筒部内に挿入した際に、フード部によって筒部が外周方向に押圧されて、該筒部の貫通孔が縮径することで当該筒部の内周を押し広げることができる。このため、一方のコネクタハウジングのフード部が他方のコネクタハウジングの筒部の内周面を該筒部の外周方向に押圧した状態で、該筒部内に挿入することができる。
【００１５】
請求項２に記載された発明によれば、筒部が、フード部と相対する側の一端部の内周面に、該一端部からフード部の挿入方向先端側の他端部に向かうにしたがって徐々に当該筒部の内周方向に向かって傾斜した傾斜面を備えているので、フード部の先端を筒部の傾斜面に当接させて、該傾斜面に沿ってスライドさせることで、筒部の内周より大きく形成されたフード部を該筒部内にスムーズに挿入することができる。
【００１６】
請求項３に記載された発明によれば、貫通孔には、該貫通孔の筒部の外周側の内面から突出する突部が設けられているので、一方のコネクタハウジングのフード部を他方のコネクタハウジングの筒部内に挿入して、フード部が筒部を外周方向に押圧して該筒部の貫通孔が縮径した際に、突部を貫通孔の筒部の内周側の内面と当接させることができる。このため、貫通孔が過大に縮径することを防止することができ、よって、筒部の内周面が当該筒部の外周方向に過大に変位することを防止することができる。
【００１７】
請求項４に記載された発明によれば、突部が、貫通孔の長手方向の全長に亘って延在しているので、貫通孔の長手方向の全長に亘って突部を該貫通孔の筒部の内周側の内面と当接させることができる。このため、貫通孔が当該貫通孔の長手方向の全長に亘って過大に縮径することを防止することができる。
【発明の効果】
【００１８】
以上説明したように、請求項１に記載の本発明は、一方のコネクタハウジングのフード部を他方のコネクタハウジングの筒部内に挿入した際に、フード部によって筒部が外周方向に押圧されて、該筒部の貫通孔が縮径することで当該筒部の内周を押し広げることができる。このため、一方のコネクタハウジングのフード部が他方のコネクタハウジングの筒部の内周を該筒部の外周方向に押圧した状態で、該筒部内に挿入することができ、よって、一方のコネクタハウジングのフード部と他方のコネクタハウジングの筒部とがガタつくことを抑えることができる。したがって、部品点数及び組み付け作業工数を増加させることなく、簡単な構造で一方のコネクタハウジングと他方のコネクタハウジングとのガタつきを抑えて、端子金具の摩耗等による導通不良を防ぐことができる。
【００１９】
請求項２に記載の本発明は、フード部の先端を筒部の傾斜面に当接させて、該傾斜面に沿ってスライドさせることで、筒部の内周より大きく形成されたフード部を該筒部内にスムーズに挿入することができる。このため、一方のコネクタハウジングと他方のコネクタハウジングとの組み付けをスムーズに行うことができる。
【００２０】
請求項３に記載の本発明は、一方のコネクタハウジングのフード部を他方のコネクタハウジングの筒部内に挿入して、フード部が筒部を外周方向に押圧して該筒部の貫通孔が縮径した際に、突部を貫通孔の筒部の内周側の内面と当接させることができる。このため、貫通孔が過大に縮径することを防止することができ、よって、筒部の内周面が当該筒部の外周方向に過大に変位することを防止することができる。したがって、一方のコネクタハウジングのフード部と他方のコネクタハウジングの筒部とがガタつくことを確実に抑えることができる。
【００２１】
請求項４に記載の本発明は、貫通孔の長手方向の全長に亘って突部を該貫通孔の筒部の内周側の内面と当接させることができる。このため、貫通孔が当該貫通孔の長手方向の全長に亘って過大に縮径することを防止することができ、よって、筒部の内周面が該筒部の全長に亘って当該筒部の外周方向に過大に変位することを防止することができる。したがって、一方のコネクタハウジングのフード部と他方のコネクタハウジングの筒部とがガタつくことをより確実に抑えることができる。
【発明を実施するための最良の形態】
【００２２】
以下、本発明の一実施形態にかかるコネクタを図１乃至図５を参照して説明する。本発明の一実施形態にかかるコネクタ１は、図１に示すように、雄コネクタハウジング（以下、雄ハウジングと呼ぶ）２と、雌コネクタハウジング（以下、雌ハウジングと呼ぶ）３と、を備えている。
【００２３】
なお、本実施形態において、雄ハウジング２は特許請求の範囲に記載の一方のコネクタハウジングに相当し、雌ハウジング３は他方のコネクタハウジングに相当する。
【００２４】
雄ハウジング２は、絶縁性の合成樹脂等で形成されている。雄ハウジング２は、図３に示すように、内部に電線の端末に取り付けられた複数の雄型の端子金具（以下、雄端子と呼ぶ）４を収容する。雄ハウジング２は、図１又は図３に示すように、内側に雄端子４の主に電線接続部（図示せず）を収容する端子収容部１０と、該端子収容部１０に連なり且つ雄端子４の主に雄タブ４ａを収容するフード部１３とを一体に備えている。
【００２５】
雄端子４は、導電性の板金などからなり、図示しない電線と接続される電線接続部（図示せず）と、雄タブ４ａとを一体に備えている。この雄タブ４ａは、直線状に延在した棒状に形成されている。雄タブ４ａは、雄ハウジング２と雌ハウジング３とが嵌合した際に、該雌ハウジング３の後述する本体部３０の孔３３から端子収容室３４内に侵入して、該端子収容室３４内の雌端子と電気的及び機械的に接続する。
【００２６】
端子収容部１０は、有底筒状に形成されており、底壁１１と、該底壁１１の周縁に連なる周壁１２とを備えている。端子収容部１０は、内側に前述した雄端子４の図示しない電線接続部を収容する。
【００２７】
フード部１３は、端子収容部１０の周壁１２に連なった周壁１４を備えて筒状に形成されている。フード部１３は、周壁１４の端子収容部１０から離れた側、即ち雌ハウジング３の後述する筒部２０内に挿入される挿入方向先端１５側が、当該フード部１３即ち雄ハウジング２の外表面に開口している。フード部１３は、内側に雌ハウジング３の後述する本体部３０を収容し且つ該雌ハウジング３の後述する筒部２０内に収容される。
【００２８】
また、フード部１３には、ロック突起１６と、ガイドリブ１７とが設けられている。ロック突起１６は、フード部１３の周壁１４から該フード部１３即ち雄ハウジング２の外方向に突出して形成されている。ロック突起１６は、雌ハウジング３の後述する筒部２０に設けられたロックアーム２３の係合孔２５ａに係合することで、雄ハウジング２と雌ハウジング３との嵌合を保持する。
【００２９】
ガイドリブ１７は、フード部１３の周壁１４の外表面から凸に形成され且つ一対設けられている。一対のガイドリブ１７は、雄ハウジング２と雌ハウジング３との嵌合方向Ｋ（図１中に矢印で示す）と直交する方向、即ち雄ハウジング２の幅方向に互いに間隔をあけて配されている。一対のガイドリブ１７は、それぞれ、雌ハウジング３の後述する筒部２０の各ガイド凹部２６内に侵入して、雄ハウジング２と雌ハウジング３とを正しい向きで嵌合させる。
【００３０】
なお、前述した嵌合方向Ｋとは、雄ハウジング２と雌ハウジング３とが嵌合する際に、これらが互いに近づく方向をなしているとともに、これらが互いに嵌合する方向をなしている。
【００３１】
雌ハウジング３は、絶縁性の合成樹脂等で形成されており、図１又は図２に示すように、外側に筒状に形成された筒部２０と、該筒部２０内に収容され且つ箱状に形成された本体部３０とを備えている。
【００３２】
筒部２０は、有底筒状に形成されており、底壁２１と、該底壁２１の外周縁から立設した周壁２２とを備えている。筒部２０は、周壁２２の内周が前述した雄ハウジング２のフード部１３の外周よりも小さく形成されている。筒部２０は、周壁２２の底壁２１から離れた側即ち雄ハウジング２と相対する側の一端部２２ａが、当該筒部２０即ち雌ハウジング３の外表面に開口している。
【００３３】
そして、筒部２０は、内側に本体部３０を収容するとともに、周壁２２の内周面２２ｃが本体部３０の後述する外周面３２ａと間隔をあけて配されている。また、筒部２０には、ロックアーム２３と、ガイド凹部２６（図５に示す）と、貫通孔２７と、傾斜面２９とが設けられている。
【００３４】
ロックアーム２３は、図１又は図２などに示すように、筒部２０の周壁２２の底壁２１側の他端部２２ｂから立設した立設部２４と、該立設部２４の周壁２２から離れた側の端部に連なり且つ筒部２０の周壁２２の他端部２２ｂから一端部２２ａに向かう方向に延びたアーム部２５とを一体に備えている。アーム部２５には、該アーム部２５を貫通して形成された係合孔２５ａが設けられている。ロックアーム２３は、アーム部２５の係合孔２５ａに前述した雄ハウジング２のロック突起１６が係合することで、雄ハウジング２と雌ハウジング３との嵌合を保持する。
【００３５】
ガイド凹部２６は、図５に示すように、筒部２０の周壁２２の内周面２２ｃから凹に形成され且つ一対設けられている。一対のガイド凹部２６は、雄ハウジング２と雌ハウジング３との嵌合方向Ｋに沿って延在している。一対のガイド凹部２６は、雄ハウジング２と雌ハウジング３との嵌合方向Ｋと直交する方向、即ち雌ハウジング３の幅方向に沿って互いに間隔をあけて配されている。一対のガイド凹部２６には、それぞれ、前述した雄ハウジング２の各ガイドリブ１７が侵入して、雄ハウジング２と雌ハウジング３とを正しい向きで嵌合させる。
【００３６】
貫通孔２７は、図１又は図５に示すように、平面が略楕円形状で且つ筒部２０の周壁２２を貫通して形成されているとともに、該周壁２２に複数設けられている。複数の貫通孔２７は、それぞれ、筒部２０の周壁２２の底壁２１から離れた側の一端部２２ａから該底壁２１側の他端部２２ｂに向かって延在している。即ち、複数の貫通孔２７は、それぞれ、筒部２０の周壁２２の前述した雄ハウジング２のフード部１３と相対する側の一端部２２ａから該フード部１３の挿入方向先端１５側の他端部２２ｂに向かって延在している。複数の貫通孔２７は、本体部３０の周壁２１の周方向に沿って互いに間隔をあけて配されている。
【００３７】
また、複数の貫通孔２７には、それぞれ、突部２８が設けられている。突部２８は、断面が略円弧状で且つ貫通孔２７の筒部２０の外周側の内面２７ａから突出して形成されている。突部２８は、貫通孔２７の長手方向の全長に亘って延在している。
【００３８】
傾斜面２９は、図１又は図２に示すように、筒部２０の周壁２２の底壁２１から離れた側の一端部２２ａの内周面２２ｃに設けられている。傾斜面２９は、筒部２０の周壁２２の底壁２１から離れた側の一端部２２ａから該底壁２１側の他端部２２ｂに向かうにしたがって徐々に当該筒部２０の内周方向に向かって傾斜して形成されている。
【００３９】
本体部３０は、図１又は図２に示すように、前述した雄ハウジング２の雄端子４の雄タブ４ａを通す孔３３が複数設けられた相対壁３１と、該相対壁３１の外周縁から立設した周壁３２とを備えた略矩形の箱状に形成されている。本体部３０は、周壁３２の相対壁３１から離れた側の端部が前述した筒部２０の底壁２１と連結されている。本体部３０は、内部に互いに並設された複数の端子収容室３４が設けられている。本体部３０は、各々の端子収容室３４に電線の端末に取り付けられた図示しない雌型の端子金具（以下、雌端子と呼ぶ）を収容する。
【００４０】
複数の端子収容室３４は、それぞれ、本体部３０内に設けられた直線状の空間であり、長手方向が雄及び雌ハウジング２，３同士の嵌合方向と平行に形成されている。複数の端子収容室３４は、それぞれ、長手方向の両端が本体部３０即ち雌ハウジング３の外表面に開口している。複数の端子収容室３４は、互いに平行に配置されている。端子収容室３４の内面には、可撓性を有して雌端子と係止可能な係止ランス（図示せず）が設けられている。この係止ランスは、雌端子に係止して、端子収容室３４内から該雌端子が抜け出ることを規制する。
【００４１】
雌端子は、導電性の金属で構成され、複数設けられている。雌端子は、筒状の電気接触部と、該電気接触部に連なる電線接続部とを一体に備えている。電気接触部は、内側に前述した雄端子４の雄タブ４ａが侵入して、該雄タブ４ａ即ち雄端子４と電気的及び機械的に接続する。電線接続部は、電線（図示せず）が取り付けられて、該電線の芯線と電気的に接続する。そして、雌端子は、雄及び雌ハウジング２，３同士が嵌合した際に、電気接触部内に雄端子４の雄タブ４ａが侵入して、電線と雄端子４とを電気的に接続する。
【００４２】
前述した構成のコネクタ１を組み立てる際には、まず、雄ハウジング２の端子収容部１０内に電線付きの雄端子４を収容する。そして、雌ハウジング３の本体部３０の端子収容室３４内に電線付の雌端子を収容する。このとき、端子収容室３４内に設けられた係止ランスが雌端子に係止して、該雌端子が端子収容室３４内から抜け出ることを規制する。
【００４３】
次に、図１に示すように、雄ハウジング２と雌ハウジング３とを相対させる。そして、雄ハウジング２と雌ハウジング３とを互いに近づけていき、雄ハウジング２のフード部１３の先端１５を、雌ハウジング３の筒部２０の周壁２２の一端部２２ａ側の内周面２２ｃに設けられた傾斜面２９に当接させて、該傾斜面２９に沿ってスライドさせる。
【００４４】
すると、雄ハウジング２のフード部１３が雌ハウジング３の筒部２０が外周方向に押圧して、筒部２０の周壁２２の内周を、該周壁２２の各貫通孔２７を縮径させることで押し広げて、雄ハウジング２のフード部１３が雌ハウジング３の筒部２０と本体部３０との間に侵入する。このとき、前記貫通孔２７の筒部２０の外周側の内面２７ａに設けられた突部が、該貫通孔２７の筒部２０の内周側の内面２７ｂと当接することによって、貫通孔２７が過大に縮径することを防止する。
【００４５】
さらに、雄ハウジング２のフード部１３が雌ハウジング３の筒部２０を外周方向に押圧して、該筒部２０の周壁２２の内周を押し広げつつ、雄ハウジング２と雌ハウジング３とを近づけていくと、図４又は図５に示すように、雄ハウジング２のフード部１３に設けられた各ガイドリブ１７が雌ハウジング３の筒部２０の周壁２２の内周面２２ｃに設けられた各ガイド凹部２６内に侵入するとともに、雌ハウジング３の筒部２０に設けられたロックアーム２３のアーム部２５が雄ハウジング２のロック突起１６と接触して、アーム部２５が弾性変形してロック突起１６を乗り越えて、アーム部２５の係合孔２５ａにロック突起１６が侵入して係合する。
【００４６】
このとき、雄ハウジング２の端子収容部１０内に収容された雄端子４の雄タブ４ａが、雌ハウジング３の端子収容室３４内に収容された雌端子の電気接触部内に侵入して、雄端子４と雌端子とが電気的及び機械的に接続する。こうして、雄ハウジング２と雌ハウジング３とが嵌合して、コネクタ１が組み立てられる。
【００４７】
前述のように雄ハウジング２と雌ハウジング３とが嵌合すると、図４又は図５に示すように、雄ハウジング２のフード部１３が雌ハウジング３の筒部２０の周壁２２の内周を該筒部２０の外周方向に押圧した状態で、雌ハウジング３の筒部２０と本体部３０との間に位置付けられる。こうして、雄ハウジング２のフード部１３が雌ハウジング３の筒部２０を外周方向に押圧することにより、雄ハウジング２のフード部１３と雌ハウジング３の筒部２０とがガタつくことを防ぐ。
【００４８】
本実施形態によれば、雌ハウジング３の筒部２０は、内周が雄ハウジング２のフード部１３の外周よりも小さく形成されるとともに、当該筒部２０のフード部１３と相対する側の一端部２２ａから該フード部１３の挿入方向先端１５側の他端部２２ｂに向かって延在した貫通孔２７を備えているので、雄ハウジング２のフード部１３を雌ハウジング３の筒部２０内に挿入した際に、フード部１３によって筒部２０が外周方向に押圧されて、該筒部２０の貫通孔２７が縮径することで当該筒部２０の内周を押し広げることができる。
【００４９】
このため、雄ハウジング２のフード部１３が雌ハウジング３の筒部２０の内周面２２ｃを該筒部２０の外周方向に押圧した状態で、該筒部２０内に挿入することができ、よって、雄ハウジング２のフード部１３と雌ハウジング３の筒部２０とがガタつくことを抑えることができる。したがって、部品点数及び組み付け作業工数を増加させることなく、簡単な構造で雄ハウジング２と雌ハウジング３とのガタつきを抑えて、端子金具の摩耗等による導通不良を防ぐことができる。
【００５０】
また、筒部２０が、フード部１３と相対する側の一端部２２ａの内周面２２ｃに、該一端部２２ａからフード部１３の挿入方向先端１５側の他端部２２ｂに向かうにしたがって徐々に当該筒部２０の内周方向に向かって傾斜した傾斜面２９を備えているので、フード部１３の先端１５を筒部２０の傾斜面２９に当接させて、該傾斜面２９に沿ってスライドさせることで、筒部２０の内周より大きく形成されたフード部１３を該筒部２０内にスムーズに挿入することができる。このため、雄ハウジング２と雌ハウジング３との組み付けをスムーズに行うことができる。
【００５１】
さらに、貫通孔２７には、該貫通孔２７の筒部２０の外周側の内面２７ａから突出する突部２８が設けられているので、雄ハウジング２のフード部１３を雌ハウジング３の筒部２０内に挿入して、フード部１３が筒部２０を外周方向に押圧して該筒部２０の貫通孔２７が縮径した際に、突部２８を貫通孔２７の筒部２０の内周側の内面２７ｂと当接させることができる。
【００５２】
このため、貫通孔２７が過大に縮径することを防止することができ、よって、筒部２０の内周面２２ｃが当該筒部２０の外周方向に過大に変位することを防止することができる。したがって、雄ハウジング２のフード部１３と雌ハウジング３の筒部２０とがガタつくことを確実に抑えることができる。
【００５３】
また、突部２８が、貫通孔２７の長手方向の全長に亘って延在しているので、貫通孔２７の長手方向の全長に亘って突部２８を該貫通孔２７の筒部２０の内周側の内面２７ｂと当接させることができる。このため、貫通孔２７が当該貫通孔２７の長手方向の全長に亘って過大に縮径することを防止することができ、よって、筒部２０の内周面２２ｃが該筒部２０の全長に亘って当該筒部２０の外周方向に過大に変位することを防止することができる。したがって、雄ハウジング２のフード部１３と雌ハウジング３の筒部２０とがガタつくことをより確実に抑えることができる。
【００５４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５５】
【図１】本発明の一実施形態にかかるコネクタを示す分解斜視図である。
【図２】図１に示されたコネクタの雌ハウジングをＩＩ−ＩＩ線に沿って切った断面図である。
【図３】図１に示されたコネクタの雄ハウジングを雌ハウジング側から見た斜視図である。
【図４】図１に示されたコネクタの雄ハウジングと雌ハウジングとが嵌合した状態を示す斜視図である。
【図５】図４中のＶ−Ｖ線に沿う断面図である。
【符号の説明】
【００５６】
１      コネクタ
２      雄ハウジング（一方のコネクタハウジング）
３      雌ハウジング（他方のコネクタハウジング）
１３    フード部
１５    先端
２０    筒部
２２ａ  一端部
２２ｂ  他端部
２２ｃ  内周面
２７    貫通孔
２７ａ  内面
２８    突部
２９    傾斜面
３０    本体部
Ｋ      嵌合方向
【図１】
0005002485.tif 000002
【図２】
0005002485.tif 000003
【図３】
0005002485.tif 000004
【図４】
0005002485.tif 000005
【図５】
0005002485.tif 000006